(57)【特許請求の範囲】
【請求項１】
熱源である第１流体から直接または熱交換器を介して熱を受け取った作動媒体が蒸発することで発電を行うバイナリ発電装置と、
前記バイナリ発電装置に対して前記第１流体から供給される熱量を調整する供給熱量調整部と、
前記作動媒体を冷却して凝縮させるための冷却装置と、
前記冷却装置によって前記作動媒体が冷却される熱量を調整する冷却熱量調整部と、
前記第１流体が前記バイナリ発電装置との間で熱交換を行う前の前記第１流体の入口温度、または、前記第１流体が前記バイナリ発電装置との間で熱交換を行った後の前記第１流体の出口温度を検出する温度検出部と、
前記温度検出部によって検出された前記第１流体の前記入口温度および前記出口温度の少なくとも一方に基づいて、前記出口温度が所定の温度範囲内に収まるように、前記供給熱量調整部および前記冷却熱量調整部を制御する制御部と、を備える、バイナリ発電システム。
【請求項２】
前記供給熱量調整部は、
前記第１流体を前記バイナリ発電装置または前記熱交換器に供給する供給ポンプ、
前記第１流体を前記バイナリ発電装置または前記熱交換器に供給するための供給ラインと、前記第１流体を前記バイナリ発電装置または前記熱交換器に供給せずにバイパスさせるためのバイパスラインとの流路を切替える切替え弁、および、
前記熱交換器と前記バイナリ発電装置との間で前記バイナリ発電装置の熱源である第２流体を循環させる循環ポンプのうちの少なくとも１つを含み、
前記制御部は、前記供給ポンプ、前記切替え弁、および前記循環ポンプの少なくとも１つを制御する、請求項１に記載のバイナリ発電システム。
【請求項３】
前記冷却熱量調整部は、
前記冷却装置に取り付けられて冷却風を送る冷却ファン、および、
前記冷却装置と前記バイナリ発電装置との間で冷却水を循環させる冷却水ポンプ
のうちの少なくとも１つを含み、
前記制御部は、前記冷却ファンおよび前記冷却水ポンプの少なくとも１つを制御する、請求項１または２に記載のバイナリ発電システム。
【請求項４】
熱源である第１流体から直接または熱交換器を介して熱を受け取った作動媒体が蒸発することで発電を行うバイナリ発電装置と、
前記作動媒体を冷却して凝縮させるための冷却装置と、
前記第１流体が前記バイナリ発電装置との間で熱交換を行う前の前記第１流体の入口温度、または、前記第１流体が前記バイナリ発電装置との間で熱交換を行った後の前記第１流体の出口温度を検出する温度検出部と、を備えたバイナリ発電システムを用いたバイナリ発電方法であって、
前記温度検出部によって検出された前記第１流体の前記入口温度および前記出口温度の少なくとも一方を取得する温度取得工程と、
前記入口温度および前記出口温度の少なくとも一方に基づいて、前記出口温度が所定の温度範囲内に収まるように、前記バイナリ発電装置に対して前記第１流体から供給される熱量、および、前記冷却装置によって前記作動媒体が冷却される熱量を調整する熱量調整工程と、を含む、バイナリ発電方法。
【発明の詳細な説明】
【技術分野】
【０００１】
本発明は、バイナリ発電システムおよびバイナリ発電方法に関する。
【背景技術】
【０００２】
従来、バイナリ発電装置が組み込まれたシステムとして、特許文献１に記載されたシステムが知られている。このシステムは、熱電発生装置と、熱電発生装置で発生した温熱等を温熱流体に保持させて流通させる温熱流通系統と、熱利用装置と、バイナリ発電装置とを備えている。バイナリ発電装置は、温熱流通系統から供給される温熱流体よりも低い沸点を有する液体（低沸点流体）を循環させ、この液体を気化させることでタービンを回転させる。
【０００３】
また、このシステムは、制御装置を備えており、制御装置は、熱電発生装置等から温熱流通系統へ与えられる熱量と、熱利用装置が温熱流通系統から受け取る温熱の熱量との差を求め、この差に相当する残余熱量をバイナリ発電装置に供給するように制御を行っている。具体的には、制御装置は、温熱流通系統からバイナリ発電装置に温熱流体を供給するためのポンプの動作を制御することで、バイナリ発電装置に供給される温熱流体の流速を調整する。
【先行技術文献】
【特許文献】
【０００４】
【特許文献１】特開２０１３−１２２２３９号公報
【発明の概要】
【発明が解決しようとする課題】
【０００５】
特許文献１に記載されたシステムでは、温熱流通系統は、相対的に高温の温熱流体が流通する往路と、相対的に低温の温熱流体が流通する復路とを有する。バイナリ発電装置は、高温の温熱流体を往路から取り出し、その熱を利用する。その後、バイナリ発電装置は、降温後の温熱流体を復路へ戻す。制御装置は、往路から取り出した温熱流体の温度を計測すると共に、復路へ戻す温熱流体の温度を計測する。制御装置は、これらの温度差に基づいて、温熱流通系統からの温熱の取得量を演算する。
【０００６】
このような従来のシステムでは、残余熱量をバイナリ発電装置に供給するように制御を行っているため、復路に戻される流体の温度は考慮されていない。たとえば、熱源となる温水が温泉水等である場合、温泉の事業者は、所望の温度域の温泉水を求める場合がある。しかしながら、上記システムでは、所望の温度域で温水を戻すといった要望に応えることができない。本発明は、バイナリ発電を経た流体の温度を所望の温度に調整することができるバイナリ発電システムおよびバイナリ発電方法を提供することを目的とする。
【課題を解決するための手段】
【０００７】
本発明の一態様に係るバイナリ発電システムは、熱源である第１流体から直接または熱交換器を介して熱を受け取った作動媒体が蒸発することで発電を行うバイナリ発電装置と、バイナリ発電装置に対して第１流体から供給される熱量を調整する供給熱量調整部と、作動媒体を冷却して凝縮させるための冷却装置と、冷却装置によって作動媒体が冷却される熱量を調整する冷却熱量調整部と、第１流体がバイナリ発電装置との間で熱交換を行う前の第１流体の入口温度、または、第１流体がバイナリ発電装置との間で熱交換を行った後の第１流体の出口温度を検出する温度検出部と、温度検出部によって検出された第１流体の入口温度および出口温度の少なくとも一方に基づいて、出口温度が所定の温度範囲内に収まるように、供給熱量調整部および冷却熱量調整部を制御する制御部と、を備える。
【０００８】
本発明の一態様に係るバイナリ発電方法は、熱源である第１流体から直接または熱交換器を介して熱を受け取った作動媒体が蒸発することで発電を行うバイナリ発電装置と、作動媒体を冷却して凝縮させるための冷却装置と、第１流体がバイナリ発電装置との間で熱交換を行う前の第１流体の入口温度、または、第１流体がバイナリ発電装置との間で熱交換を行った後の第１流体の出口温度を検出する温度検出部と、を備えたバイナリ発電システムを用いたバイナリ発電方法であって、温度検出部によって検出された第１流体の入口温度および出口温度の少なくとも一方を取得する温度取得工程と、入口温度および出口温度の少なくとも一方に基づいて、出口温度が所定の温度範囲内に収まるように、バイナリ発電装置に対して第１流体から供給される熱量、および、冷却装置によって作動媒体が冷却される熱量を調整する熱量調整工程と、を含む。
【０００９】
上記のバイナリ発電システムおよびバイナリ発電方法によれば、第１流体の入口温度および出口温度の少なくとも一方に基づいて、バイナリ発電装置に対して第１流体から供給される熱量、および、冷却装置によって作動媒体が冷却される熱量が調整される。第１流体からの供給熱量または冷却装置による作動媒体の冷却熱量は、バイナリ発電システムにおける熱サイクルに影響するため、これらを調整することで、出口温度を所定の温度範囲内に収めることができる。よって、バイナリ発電を経た第１流体の温度を所望の温度に調整することができる。
【００１０】
いくつかの態様において、供給熱量調整部は、第１流体をバイナリ発電装置または熱交換器に供給する供給ポンプ、第１流体をバイナリ発電装置または熱交換器に供給するための供給ラインと、第１流体をバイナリ発電装置または熱交換器に供給せずにバイパスさせるためのバイパスラインとの流路を切替える切替え弁、および、熱交換器とバイナリ発電装置との間でバイナリ発電装置の熱源である第２流体を循環させる循環ポンプのうちの少なくとも１つを含み、制御部は、供給ポンプ、切替え弁、および循環ポンプの少なくとも１つを制御する。この場合、バイナリ発電装置に対して第１流体から供給される熱量を容易に調整することができる。
【００１１】
いくつかの態様において、冷却熱量調整部は、冷却装置に取り付けられて冷却風を送る冷却ファン、および、冷却装置とバイナリ発電装置との間で冷却水を循環させる冷却水ポンプのうちの少なくとも１つを含み、制御部は、冷却ファンおよび冷却水ポンプの少なくとも１つを制御する。この場合、冷却装置によって作動媒体が冷却される熱量を容易に調整することができる。
【発明の効果】
【００１２】
本発明のいくつかの態様によれば、バイナリ発電を経た第１流体の温度を所望の温度に調整することができる。
【図面の簡単な説明】
【００１３】
【図１】本発明の第１実施形態に係るバイナリ発電システムの概略構成を示す図である。
【図２】図１中の制御部における出口温度制御の実行手順を示すフローチャートである。
【図３】（ａ）は供給熱量調整部の一変形態様を示す図、（ｂ）は供給熱量調整部の他の変形態様を示す図である。
【図４】本発明の第２実施形態に係るバイナリ発電システムの概略構成を示す図である。
【図５】本発明の第３実施形態に係るバイナリ発電システムの概略構成を示す図である。
【発明を実施するための形態】
【００１４】
以下、本発明の実施形態について、図面を参照しながら説明する。なお、図面の説明において同一要素には同一符号を付し、重複する説明は省略する。
【００１５】
まず、図１を参照して、第１実施形態に係るバイナリ発電システム１について説明する。図１に示されるように、バイナリ発電システム１は、温泉水（第１流体）を熱源として利用し、発電を行うシステムである。バイナリ発電システム１は、たとえば源泉が引かれる場所と、温泉地の給湯先との間に設置され得る。バイナリ発電システム１は、温泉利用としては比較的高温の源泉を利用する。利用され得る源泉の温度は、たとえば、７０〜９５℃程度である。バイナリ発電システム１は、各給湯先へ供給される温泉水を所望の温度に調整可能になっている。
【００１６】
バイナリ発電システム１は、源泉を貯留するための源泉タンク２と、源泉との熱交換によりバイナリ発電装置４の熱源である温水（第２流体）を加熱するための熱交換器３と、温水により加熱され蒸発した作動媒体によって発電を行うバイナリ発電装置４と、作動媒体を冷却して凝縮させるための冷却塔（冷却装置）７と、バイナリ発電によって熱利用された後の温泉水を貯留する温泉水貯留タンク８とを備えている。
【００１７】
源泉タンク２および熱交換器３、熱交換器３および温泉水貯留タンク８は、温泉水を熱交換器３に供給するための供給ラインＬ１および供給ラインＬ１ａによって接続されている。供給ラインＬ１には、温泉水を熱交換器３に供給する供給ポンプ１１が設けられている。供給ラインＬ１には、供給ラインＬ１によって供給される温泉水の入口温度を検出する入口温度計Ｔ１と、温泉水の供給流量を検出する入口流量計Ｆ１とが設けられている。入口温度計Ｔ１は、温泉水が熱交換器３との間で熱交換を行う前の入口温度を検出する。なお、「ライン」は、内部を流体が流れる配管を意味する。
【００１８】
供給ラインＬ１ａの一部は熱交換器３内を流通しており、熱交換部１３とされている。熱交換部１３の下流側において、供給ラインＬ１には、供給ラインＬ１によって供給され熱交換を終えた温泉水の出口温度を検出する出口温度計（温度検出部）Ｔ３と、温泉水の戻り流量を検出する出口流量計Ｆ３とが設けられている。出口温度計Ｔ３は、温泉水が熱交換器３との間で熱交換を行った後の出口温度を検出する。
【００１９】
供給ラインＬ１は、熱交換器３よりも上流側で分岐している。供給ラインＬ１は、上記の供給ラインＬ１ａと、バイパスラインＬ１ｂとに分岐している。供給ラインＬ１ａとバイパスラインＬ１ｂとは、熱交換器３よりも下流側で合流している。すなわち、バイパスラインＬ１ｂは、温泉水を熱交換器３に供給せずに、熱交換器３をバイパスさせるためのラインである。供給ラインＬ１の分岐点と熱交換器３との間には、熱交換器３に供給される温泉水の流量を検出する供給流量計Ｆ２が設けられている。
【００２０】
供給ラインＬ１ａとバイパスラインＬ１ｂとの合流点よりも下流側の供給ラインＬ１の端部は、温泉水貯留タンク８に接続されている。温泉水貯留タンク８には、給湯ラインＬ６が接続されており、給湯ラインＬ６に設けられた給湯ポンプ１８によって、給湯先へ温泉水が供給される。
【００２１】
供給ラインＬ１の分岐点には、自動弁である三方弁（切替え弁）２１が設けられている。三方弁２１は、たとえば、電動のボール弁である。三方弁２１の型式は特に限定されない。三方弁２１は、供給ラインＬ１に連絡する流路を供給ラインＬ１ａまたはバイパスラインＬ１ｂに切り替えることが可能になっている。供給ラインＬ１ａとバイパスラインＬ１ｂとの合流点には、自動弁である三方弁（切替え弁）２２が設けられている。三方弁２２は、たとえば、電動のボール弁である。三方弁２２の型式は特に限定されない。三方弁２２は、供給ラインＬ１に連絡する流路を供給ラインＬ１ａまたはバイパスラインＬ１ｂに切り替えることが可能になっている。
【００２２】
熱交換器３は、たとえば、向流式の熱交換器である。熱交換器３内には、バイナリ発電装置４の熱源である温水を流す温水循環ラインＬ３の一部が流通しており、熱交換部１４とされている。熱交換器３は、並流式の熱交換器であってもよい。熱交換器３では、供給ラインＬ１ａを流れる温泉水と温水循環ラインＬ３内の温水との間で、熱交換が行われ、この熱交換によって加熱された温水は、バイナリ発電装置４の蒸発器において作動媒体を蒸発させる。温水循環ラインＬ３には、熱交換器３とバイナリ発電装置４との間で温水を循環させる温水循環ポンプ１２が設けられている。
【００２３】
バイナリ発電装置４は、温泉水を熱源として発電を行うことができるように構成されている。バイナリ発電装置４は、たとえば５〜２０ｋＷ程度の出力で発電可能な小型の発電装置である。バイナリ発電装置４は、たとえばオーガニックランキンサイクル（Organic  Rankine  Cycle；ＯＲＣ）が採用された装置である。バイナリ発電装置４は、加熱され蒸発した作動媒体により回転させられるタービンを備えており、タービンの回転により発電を行う。バイナリ発電装置４に用いられる作動媒体は、たとえば不活性ガスである。バイナリ発電装置４は、筐体６内に収容されている。なお、図示は省略されているが、バイナリ発電装置４には、蒸発器、凝縮器、ＡＣ−ＤＣコンバータ、系統連係コンバータ、および、絶縁トランス等の付属機器が接続される。
【００２４】
バイナリ発電装置４には、冷却水循環ラインＬ４を介して、冷却塔７が接続されている。冷却塔７で冷却された冷却水は、バイナリ発電装置４の凝縮器において作動媒体を凝縮させる。冷却水循環ラインＬ４には、冷却水を循環させる冷却水ポンプ１６が設けられる。冷却塔７には、冷却風を発生させて冷却塔７内に送るための冷却ファン１７が取り付けられている。冷却塔７には、外部から補給水が供給される。
【００２５】
本実施形態のバイナリ発電システム１は、温泉水の出口温度が所望の温度範囲となるように、上述の各機器を制御する制御部１０を備えている。制御部１０は、たとえばＣＰＵ（Central  Processing  Unit)、ＲＯＭ(Read  Only  Memory)、およびＲＡＭ(Random  Access  Memory)等のハードウェアと、ＲＯＭに記憶されたプログラム等のソフトウェアと、から構成されたコンピュータである。バイナリ発電システム１は、出口温度計Ｔ３と通信可能であり、出口温度計Ｔ３から出力される温泉水の出口温度を示す信号を入力する。また、制御部１０は、各機器を制御可能に構成されている。
【００２６】
より詳細には、制御部１０は、インバータ等を介して、供給ポンプ１１、温水循環ポンプ１２、冷却水ポンプ１６、および冷却ファン１７の各流量／回転数を制御可能である。さらに、制御部１０は、三方弁２１および三方弁２２を開閉制御可能である。供給ポンプ１１、供給ラインＬ１ａとバイパスラインＬ１ｂとを切り替える三方弁２１，２２、および、温水循環ポンプ１２は、バイナリ発電装置４に対して温泉水から供給される熱量を調整可能な供給熱量調整部に相当する。冷却水ポンプ１６および冷却ファン１７は、冷却塔７によって作動媒体が冷却される熱量を調整可能な冷却熱量調整部に相当する。
【００２７】
制御部１０は、これら供給熱量調整部が含む各機器および各弁、冷却熱量調整部が含む各機器を制御する。制御部１０には、たとえばユーザによって、温泉水の出口温度として、所定の温度範囲が予め入力・記憶されている。所定の温度範囲は、たとえば、第１目標温度Ｔａと、第１目標温度Ｔａよりも低い第２目標温度Ｔｂとを含む。第１目標温度Ｔａおよび第２目標温度Ｔｂは、たとえば、バイナリ発電装置４における発電を可能とする温度（７０〜９５℃程度）よりも低い温度に設定され得る。なお、所定の温度範囲は、一点のみの温度として設定されてもよい。
【００２８】
続いて、図２を参照して、制御部１０によって実行される出口温度制御について説明する。以下に説明する処理は、バイナリ発電システム１が起動している間、所定時間ごとに繰り返し実行される。まず、制御部１０は、温泉水の出口温度を取得する(ステップＳ０１；温度取得工程)。次に、制御部１０は、取得した出口温度が第１目標温度Ｔａ以下であるか否かを判断する(ステップＳ０２)。たとえば、第１目標温度Ｔａが７０℃に設定されていたとすると、制御部１０は、出口温度が７０℃以下であるか否かを判断する。
【００２９】
出口温度が第１目標温度Ｔａを超えていると判断すると、制御部１０は、熱交換量の増加制御を行う(ステップＳ０３；熱量調整工程)。より詳細には、制御部１０は、温水循環ポンプ１２の流量を増大させる。制御部１０は、冷却水ポンプ１６の流量を増大させる。制御部１０は、冷却ファン１７の風量を増大させる。これらの各制御は、すべてが組み合わされてもよいし、いずれか２種類が組み合わされてもよいし、いずれか１種類のみが採用されてもよい。
【００３０】
ステップＳ０３の処理を実行した後、ステップＳ０１に戻り、制御部１０は、ステップＳ０１の処理を実行する。
【００３１】
出口温度が第１目標温度Ｔａ以下であると判断すると、制御部１０は、取得した出口温度が第２目標温度Ｔｂ以上であるか否かを判断する(ステップＳ０４)。たとえば、第２目標温度Ｔｂが６０℃に設定されていたとすると、制御部１０は、出口温度が６０℃以上であるか否かを判断する。
【００３２】
出口温度が第２目標温度Ｔｂ以上であると判断すると、制御部１０は、出口温度制御を終了する。
【００３３】
出口温度が第２目標温度Ｔｂ未満であると判断すると、制御部１０は、熱交換量の減少制御を行う(ステップＳ０５；熱量調整工程)。より詳細には、制御部１０は、三方弁２１，２２を開閉制御して、供給ラインＬ１とバイパスラインＬ１ｂとを連絡させる。制御部１０は、温水循環ポンプ１２の流量を減少させる。制御部１０は、冷却水ポンプ１６の流量を減少させる。制御部１０は、冷却ファン１７の風量を減少させる。これらの各制御は、すべてが組み合わされてもよいし、いずれか２〜３種類が組み合わされてもよいし、いずれか１種類のみが採用されてもよい。なお、三方弁２１，２２の開閉制御は、一部の温泉水を供給ラインＬ１ａに導入し、残りの一部の温泉水をバイパスラインＬ１ｂに導入する制御であってもよい。
【００３４】
ステップＳ０５の処理を実行した後、ステップＳ０１に戻り、制御部１０は、ステップＳ０１の処理を実行する。
【００３５】
以上の一連の処理によって、温泉水の出口温度（出口温度計Ｔ３によって検出される温度）は、第１目標温度Ｔａ以下かつ第２目標温度Ｔｂ以上の範囲に調整される。
【００３６】
上記のバイナリ発電システム１およびバイナリ発電方法によれば、温泉水の出口温度に基づいて、バイナリ発電装置４に対して温泉水から供給される熱量、または、冷却塔７によって作動媒体が冷却される熱量が調整される。温泉水からの供給熱量または冷却塔７による作動媒体の冷却熱量は、バイナリ発電システム１における熱サイクルに影響するため、これらを調整することで、出口温度を所定の温度範囲内に収めることができる。よって、バイナリ発電を経た温泉水の温度を所望の温度に調整することができる。
【００３７】
従来は、季節変動による発電機の発電状況の変化および入口温度の変化により、出口温度を所望の温度に調整することは難しかった。バイナリ発電システム１のように、出口温度を監視しながら付帯設備を自動制御することにより、熱交換量を変化させ、出口温度を所望の温度範囲に収めることができる。また、出口温度を一定に保つこともできる。
【００３８】
これにより、高温の温泉水を浴用に適した温度に下げることができる。また、一定温度の温泉水を供給できるため、従来必要とされていた加水による温度調整が不要になり、水道代を節約できる。さらには、水道水による希釈が不要になるため、温泉効能の維持、浴槽温度管理の簡素化が図られる。さらにまた、出口の温水を浴用以外で２次利用する場合（温室加温等）にも、温度管理の簡素化が図られる。
【００３９】
付帯設備で消費する電力はなるべく少ない方が、同じ発電量で比較した場合、システム全体としての発電量は大きくなる。よって、本実施形態のバイナリ発電システム１およびバイナリ発電方法によれば、自動制御にて、発電量を最大化でき、かつ付帯設備の動力を最小化できる。
【００４０】
また、制御部１０が、供給熱量調整部としての供給ポンプ１１、三方弁２１，２２、温水循環ポンプ１２の少なくとも１つを制御することで、バイナリ発電装置４に対して温泉水から供給される熱量を容易に調整することができる。
【００４１】
また、制御部１０が、冷却熱量調整部としての冷却水ポンプ１６および冷却ファン１７の少なくとも１つを制御することで、冷却塔７によって作動媒体が冷却される熱量を容易に調整することができる。
【００４２】
図３（ａ）および（ｂ）を参照して、供給熱量調整部の各種変形態様について説明する。図３（ａ）に示されるように、供給ラインＬ１ａが２つの熱交換部１３ａ，１３ｂで熱交換器３Ａ内に流通し、熱交換部１３ａ，１３ｂの間の位置からバイパスラインＬ１ｂに接続される中間戻りラインＬ１ｃを設けた態様としてもよい。この場合、熱交換部１３ａと熱交換部１３ｂの間には、熱交換部１３ａと熱交換部１３ｂとを連絡する流路と、熱交換部１３ａと中間戻りラインＬ１ｃとを連絡する流路とに切り替える三方弁２３が設けられる。このような態様によれば、バイナリ発電システム１と同様の制御に加え、制御部１０が三方弁２３を制御することにより、より高精度な供給熱量の調整・制御が可能となる。
【００４３】
図３（ｂ）に示されるように、供給ラインＬ１ａの熱交換器３よりも上流側と下流側とを接続する熱交換循環ラインＬ１ｄを設け、この熱交換循環ラインＬ１ｄに、温泉水を上流側に戻す熱交換循環ポンプ２４を設ける態様としてもよい。この場合、熱交換循環ラインＬ１ｄと上流側の供給ラインＬ１ａとの合流点の下流側に、循環流量計Ｆ４が設けられてもよい。このような態様によれば、バイナリ発電システム１と同様の制御に加え、制御部１０が熱交換循環ポンプ２４を制御することにより、より高精度な供給熱量の調整・制御が可能となる。
【００４４】
図４を参照して、第２実施形態のバイナリ発電システム１Ｂについて説明する。バイナリ発電システム１Ｂが第１実施形態のバイナリ発電システム１と違う点は、１台のバイナリ発電装置４に加えて、さらに１台のバイナリ発電装置３２を設けた点である。バイナリ発電装置３２に対応して、熱交換器３０、温水循環ラインＬ３０および温水循環ポンプ３１、冷却水循環ラインＬ３３および冷却水ポンプ３３が追加されている。供給ラインＬ１ａは、熱交換器３に流通する熱交換部１３の下流側で、熱交換器３０に流通し、この部分が熱交換部３５とされる。熱交換器３０に流通する温水循環ラインＬ３０の部分は、熱交換部３６とされる。この場合、温水循環ポンプ３１と冷却水ポンプ３３が、制御部１０による制御対象とされる。温水循環ポンプ３１は、供給熱量調整部の１つとして機能し、冷却水ポンプ３３は、冷却熱量調整部の１つとして機能する。このように、２系列のバイナリ発電装置４，３２を備えたバイナリ発電システム１Ｂによっても、好適な出口温度の調整・制御が可能である。
【００４５】
図５を参照して、第３実施形態のバイナリ発電システム１Ｃについて説明する。バイナリ発電システム１Ｃが第１実施形態のバイナリ発電システム１と違う点は、熱源を発生させる装置としてチップボイラ４０を採用し、温泉水に代えて、熱源として温水を利用している点である。チップボイラ４０の設置に対応して、供給ラインＬ１の戻りである下流側に給湯用熱交換器４１が設けられ、給湯用熱交換器４１に上水を供給するための貯水槽４２が設けられている。チップボイラ４０では水道水が使用されるため、熱源である温水をバイナリ発電装置４に直接供給することも可能である。そこで、供給ラインＬ１ａ（すなわち熱交換器３）をバイパスして直接バイナリ発電装置４に接続されたバイパスラインＬ１ｅが設けられている。供給ラインＬ１ａとバイパスラインＬ１ｅとを切り替えるための４つの三方弁４３〜４６が設けられている。４つの三方弁４３〜４６は、供給熱量調整部として機能する。
【００４６】
以上、本発明の実施形態について説明したが、本発明は上記実施形態に限られない。たとえば、温泉地に設置されるバイナリ発電システムに限られず、工場や焼却施設などに設置されてもよい。熱源として温泉水を用いずに水道水を用いる場合であれば、バイナリ発電システム１Ｃのような態様を採ることもできるし、熱交換器３を省略することもできる。その場合、第１流体がバイナリ発電装置４の直接の熱源となり、バイナリ発電装置４内の蒸発器に流通して熱交換を行う。熱交換器３の省略に伴い、上記した温水循環ポンプ１２，３１も省略され得る。
【００４７】
上記実施形態では、切替え弁として三方弁を用いる場合について説明したが、これに限られない。たとえば、分岐・合流の前後の箇所に自動弁をそれぞれ設けてもよい。流路の切替えが可能な構成であれば、どのような構成を採用してもよい。
【００４８】
さらには、出口温度に基づいて制御部１０による制御を行う場合に限られず、入口温度計（温度検出部）Ｔ１によって検出される熱源の入口温度に基づいて、制御部１０による制御を行ってもよい。この場合は、供給熱量調整部や冷却熱量調整部の各種条件に応じて、入口温度に対する予想出口温度を、制御部１０が予め記憶しておくことが望ましい。
【符号の説明】
【００４９】
１、１Ｂ、１Ｃ  バイナリ発電システム
３、３Ａ、３０  熱交換器
４、３２  バイナリ発電装置
７  冷却塔（冷却装置）
１０  制御部
１１  供給ポンプ（供給熱量調整部）
１２、３１  温水循環ポンプ（供給熱量調整部）
１６、３３  冷却水ポンプ（冷却熱量調整部）
１７  冷却ファン（冷却熱量調整部）
２１、２２  三方弁（供給熱量調整部）
Ｌ１ａ  供給ライン
Ｌ１ｂ  バイパスライン
Ｔ１  入口温度計（温度検出部）
Ｔ３  出口温度計（温度検出部）
【図１】
0006581396.tif 000002
【図２】
0006581396.tif 000003
【図３】
0006581396.tif 000004
【図４】
0006581396.tif 000005
【図５】
0006581396.tif 000006